(57)【要約】【課題】必要以上に長いボルトを用いても作業性よくナットとボルトとの締め付け作業を行うことができる装着装置及びその締付用補助具を提供する。【解決手段】ボルト３とナット４とで被締付物１，２を締め付ける際に使用される締付用補助具１０は、長手方向に分割された分割体１１，１２を互いに係合して円筒状に一体化して構成され、その内周面に前記ボルト３の雄ネジ部３ａに嵌着する雌ネジ部１３を形成し、その外周面に前記ナット４の雌ネジ部４ａに嵌着する雄ネジ部１４を形成している。【選択図】図５
2019049319.tif 000002
【特許請求の範囲】
【請求項１】
円柱の外周面に沿って螺旋状の溝を設けた雄ネジ固着具と、円筒の内周面に沿って螺旋状の溝を設けた雌ネジ固着具とで被締付物を締め付ける際に使用される締付用補助具であって、
この締付用補助具は、長手方向に分割された分割体を互いに係合して一体化した円筒体で構成され、この円筒体は、
その内周面に前記雄ネジ固着具の外周面の螺旋状の溝に嵌着する雌ネジ部を形成し、
その外周面に前記雌ネジ固着具の内周面の螺旋状の溝に嵌着する雄ネジ部を形成してなる締付用補助具。
【請求項２】
各分割体は、一方の端面にフランジ面を有しており、互いに係合して円筒体を組立てた際に前記フランジ面にて円筒体のフランジ部を構成してなる請求項1に記載の締付用補助具。
【請求項３】
各分割体は、他方の端面にナット形成部を有しており、互いに係合して円筒体を組立てた際に前記ナット形成部にてナットを構成してなる請求項２に記載の締付用補助具。
【請求項４】
柱状の部材の周面を覆い、その端部に相対向するフランジ部を有する取付金具を備えた被締付物と、この被締付物を締付固定する装着部とを備え、
被締付物を締付固定する装着部は、
円柱の外周面に沿って螺旋状の溝を設けて、前記取付金具の相対向するフランジ部間に挿通する雄ネジ固着具と、
前記雄ネジ固着具の外周面の螺旋状の溝に螺着する請求項1に記載の締付用補助具と、
円筒の内周面に沿って螺旋状の溝を設けて、前記締付用補助具の雄ネジ部に螺着する雌ネジ固着具とを具備し、
前記雌ネジ固着具を、前記締付用補助具を介して雄ネジ固着具に締め付けて相対向するフランジ部間を締め付けることにより、前記取付金具を柱状の部材に締付固定するようにした装着装置。
【請求項５】
柱状の部材の周面を覆い、その端部に相対向するフランジ部を有する取付金具を備えた被締付物と、この被締付物を締付固定する装着部とを備え、
被締付物を締付固定する装着部は、
円柱の外周面に沿って螺旋状の溝を設けて、前記取付金具の相対向するフランジ部間に挿通される雄ネジ固着具と、
前記雄ネジ固着具の外周面の螺旋状の溝に螺着された請求項２に記載の締付用補助具と、
円筒の内周面に沿って螺旋状の溝を設けて、前記締付用補助具の雄ネジ部に螺着する雌ネジ固着具とを具備し、
前記雌ネジ固着具が前記締付用補助具のフランジ部に接した状態で、前記雌ネジ固着具を、前記締付用補助具とともに前記雌ネジ固着具上を移動させることにより、取付金具を柱状の部材に締付固定するようにした装着装置。
【請求項６】
柱状の部材の周面を覆い、その端部に相対向するフランジ部を有する取付金具を備えた被締付物と、この被締付物を締付固定する装着部とを備え、
被締付物を締付固定する装着部は、
円柱の外周面に沿って螺旋状の溝を設けて、取付金具の相対向するフランジ部間に挿通される雄ネジ固着具と、
前記雄ネジ固着具の外周面の螺旋状の溝に螺着する請求項３に記載の締付用補助具と、
円筒の内周面に沿って螺旋状の溝を設けて、前記締付用補助具の雄ネジ部に螺着する雌ネジ固着具とを具備し、
前記締付用補助具に一体に形成されたナットを回して、前記締付用補助具を、前記雄ネジ固着具上を移動させることにより、取付金具を柱状の部材に締付固定するようにした装着装置。
【発明の詳細な説明】
【技術分野】
【０００１】
本発明は、例えば、交差点に設置された柱状の部材に、超音波送受器を装着するための装着装置、及びその装着に適用される締付用補助具に関する。
【背景技術】
【０００２】
超音波送受器は、感知対象車線の中央に５ｍから６ｍの高さに設置され、超音波を用いて、その直下を通行する車両を感知し検出する機器であり、具体的には超音波送受器から短い周期の超音波を断続的に送信し、その反射波の戻ってくる時間差により、路面で反射をしたのか車両で反射したのかを判別する機器である。
【０００３】
この超音波送受器は、道路脇に設置された柱状の部材（例えば、信号灯器を取り付けた柱状の部材等）に所定の装着装置を締付固定し、この装着装置に超音波送受器を取り付けて、道路を走行する車両の直上に配置されている。
【０００４】
例えば、図１に示す様に超音波送受器Ａを取り付ける装着装置Ｂとして、柱状の部材Ｃ１の周面に一対の略半円弧状の取付金具１，２を対向して配置し、その対向するフランジ部１ａ，２ａ及び１ｂ，２ｂをそれぞれボルト３，３とナット４，４とで締付固定し、一方の取付金具１から延出している超音波送受器取付部１ｃに超音波送受器Ａを装着する構造が知られている。
ところで、装着装置Ｂが装着される柱状の部材の外径は一定ではなく、大径の柱状の部材Ｃ１（図１参照）から、小径の柱状の部材Ｃ２（図２参照）まで多種多様である。
このため、図１に示す大径の柱状の部材Ｃ１には有効に適用される長さの長いボルト３，３を、図２に示すような小径の柱状の部材Ｃ２にそのまま適用して締付固定しようとすると、取付金具１のフランジ部１ａ，２ａ及び１ｂ，２ｂと対向接触する位置までの（締付固定に寄与しない）長い距離、ナット４，４を無駄に回していかなければならない。その結果、締付固定作業に必要以上の時間と労力がかかり、作業性が悪いという問題がある。
この問題を解決するために、従来は、柱状の部材の外径に対応した長さを有するボルトを予め複数種用意し、柱状の部材の外径に応じて使い分けている。しかし、その場合、多数種のボルトの管理、保管しなければならないという、管理上の問題があり、また、多数種のボルトを用意しなければならないというコスト上の問題もある。
また、ボルトの頭の部分がない長ネジを使用し、両側にナットを取り付けて、締付固定作業を行う場合も、上述したボルトの場合と同様な問題が生じる。
【０００５】
そこで、本発明者は、小径の柱状の部材においても、（締付固定に寄与しない）長い距離、ナットを無駄に回すことなく、ナットを締付固定に寄与する位置まで短時間で容易に移動できる構造を検討した。
検討の結果、本発明者は、ボルトとナットとの間に締付用補助具を介装することにより、ボルトとナットとを直接螺合させなくても、締付固定することができる構造を見出した。
【０００６】
ところで、ボルトとナットとの間に補助具を介装した従来技術として以下の公報が挙げられる。しかし、結論から言えば、これらに補助具は締付用補助具として機能しない。
すなわち、特許文献１の雄カプラーは、ボルトとナットとの間に介装されているが、この雄カプラーを締付用補助具とした場合、雄カプラー自体をフランジ部の対向位置まで回していかなければならず、本発明の技術的課題を解決することができない。
同様に、特許文献２のボルトとナットとの間に介装されている連結部材５、特許文献３のボルトとナットとの間に介装されている操作用介装材、特許文献４のボルトとナットとの間に介装されている緩み止めブッシュについても、特許文献１の雄カプラーと同様に本発明の技術的課題を解決することはできない。
【先行技術文献】
【特許文献】
【０００７】
【特許文献１】特開２００４−３６２７４号公報
【特許文献２】特開平１１−１０１２０７号公報
【特許文献３】特開平７−２７９３６２号公報
【特許文献４】特開平１１−２０１１３１号公報
【発明の概要】
【発明が解決しようとする課題】
【０００８】
本発明は上記事情に鑑みてなされたもので、装着される柱状の部材の外径が異なっていても、同じ長さのボルトを用いて、ナットとボルトによる締付固定作業を短時間で作業性よく行うことができる装着装置及びこの装着装置に適用される締付用補助具を提供するものである。
【課題を解決するための手段】
【０００９】
すなわち第一の発明は、円柱の外表面に沿って螺旋状の溝を設けた雄ネジ固着具（例えばボルト）と円筒の内周面に沿って螺旋状の溝を設けた雌ネジ固着具（例えばナット）とで被締付物を締め付ける際に使用される締付用補助具であって、
この締付用補助具は、長手方向に分割された分割体を互いに係合して一体化した円筒体で構成され、この円筒体は、
その内周面に前記雄ネジ固着具の雄ネジ部に嵌着する雌ネジ部を形成し、
その外周面に前記雌ネジ固着具の雌ネジ部に嵌着する雄ネジ部を形成している。
【００１０】
第二の発明に係る締付用補助具は、第一の発明の構成に加えて、更に、各分割体が一方の端面にフランジ面を有しており、分割体を互いに係合して円筒体を組立てた際に前記両フランジ面にて円筒体のフランジ部を構成している。
【００１１】
第三の発明に係る締付用補助具は、第二の発明の構成に加えて、更に、各分割体が、他方の端面にナット形成部を有しており、分割体を互いに係合して円筒体を組立てた際に前記両ナット形成部にてナット（例えば六角柱のナット）を構成している。
【００１２】
第四の発明は、第一の発明に係る締付用補助具を適用した装着装置であって、
この装着装置は、柱状の部材の周面を覆い、その端部に相対向するフランジ部を有する取付金具を備えた被締付物と、この被締付物を締付固定する装着部とを備え、
被締付物を締付固定する装着部は、
円柱の外周面に沿って螺旋状の溝を設けて、前記取付金具の相対向するフランジ部間に挿通する雄ネジ固着具（例えばボルト）と、
前記雄ネジ固着具の外周面の螺旋状の溝に螺着する第一の発明に記載の締付用補助具と、
円筒の内周面に沿って螺旋状の溝を設けて、前記締付用補助具の雄ネジ部に螺着する雌ネジ固着具（例えばナット）とを具備し、
前記雌ネジ固着具を、前記締付用補助具を介してボルトに締め付けて相対向するフランジ部間を締め付けることにより、前記取付金具を柱状の部材に締付固定するようにしている。
【００１３】
第五の発明は、第二の発明に係る締付用補助具を適用した装着装置であって、この装着装置は、柱状の部材の周面を覆い、その端部に相対向するフランジ部を有する取付金具を備えた被締付物と、この被締付物を締付固定する装着部とを備え、
被締付物を締付固定する装着部は、
円柱の外周面に沿って螺旋状の溝を設けて、前記取付金具の相対向するフランジ部間に挿通される雄ネジ固着具（例えばボルト）と、
前記雄ネジ固着具の外周面の螺旋状の溝に螺着された第二の発明に記載の締付用補助具と、
円筒の内周面に沿って螺旋状の溝を設けて、前記締付用補助具の雄ネジ部に螺着する雌ネジ固着具（例えばナット）とを具備し、
前記雌ネジ固着具が前記締付用補助具のフランジ部に接した状態で、前記雌ネジ固着具を、前記締付用補助具とともに前記雌ネジ固着具上を移動させることにより、取付金具を柱状の部材に締付固定するようにしている。
【００１４】
第六の発明は、第三の発明に係る締付用補助具を適用した装着装置であって、この装着装置は、柱状の部材の周面を覆い、その端部に相対向するフランジ部を有する取付金具を備えた被締付物と、この被締付物を締付固定する装着部とを備え、
被締付物を締付固定する装着部は、
円柱の外周面に沿って螺旋状の溝を設けて、取付金具の相対向するフランジ部間に挿通される雄ネジ固着具（例えばボルト）と、
前記雄ネジ固着具の外周面の螺旋状の溝に螺着する第三の発明に記載の締付用補助具と、
円筒の内周面に沿って螺旋状の溝を設けて、前記締付用補助具の雄ネジ部に螺着する雌ネジ固着具（例えばナット）とを具備し、
前記締付用補助具に一体に形成されたナットを回して、前記締付用補助具を、前記雄ネジ固着具上を移動させることにより、取付金具を柱状の部材に締付固定するようにしている。
【００１５】
なお、本発明に係る装着装置は、主に、超音波送受器を装着するために使用されるが、この用途に適用される装着装置に限定されるものではない。
【発明の効果】
【００１６】
本発明に係る締付用補助具を用いれば、不必要に長いボルトや長ネジ等の雄ネジ固着具を用いて締付作業をしなければならない場合であっても、作業性よく、ナット等の雌ネジ固着具の締め付けに必要な所定箇所までスムーズに移動できるので、雄ネジ固着具と雌ネジ固着具との締付作業を容易かつ短時間で行うことができる。
【図面の簡単な説明】
【００１７】
【図１】図１は、大径の柱状の部材に超音波送受器を取り付けた場合における雄ネジ固着具であるボルトと雌ネジ固着具であるナットとの位置関係を示した説明図である。
【図２】図２は、小径の柱状の部材に超音波送受器を取り付けた場合における雄ネジ固着具であるボルトと雌ネジ固着具であるナットとの位置関係を示した説明図である。
【図３】図３は、本発明に係る締付用補助具の実施例１(基本形)を示した斜視図である。
【図４】図４は、実施例１において、同締付用補助具を雄ネジ固着具であるボルトに装着する状態を示した斜視図である。
【図５】図５は、実施例１において、雄ネジ固着具であるボルトに装着した締付用補助具にナットを装着した状態を示す説明図である。
【図６】図６は、実施例１において、雌ネジ固着具であるナットと締付用補助具との間に介装される他の部材を示した説明図である。
【図７】図７は、本発明に係る締付用補助具の他の実施例（実施例２）を示した斜視図である。
【図８】図８は、実施例２における締付用補助具を雄ネジ固着具であるボルトに装着する状態を示した斜視図である。
【図９】図９は、実施例２における雄ネジ固着具であるボルトに装着した締付用補助具に雌ネジ固着具であるナットを装着した説明図である。
【図１０】図１０は、実施例２において、雌ネジ固着具であるナットと締付用補助具との間に介装される他の部材を示した説明図である。
【図１１】図１１は、実施例３おける本発明に係る締付用補助具を示した斜視図である。
【図１２】図１２は、実施例３における締付用補助具を雄ネジ固着具であるボルトに装着する状態を示した斜視図である。
【図１３】図１３は、実施例３における雄ネジ固着具であるボルトに装着した締付用補助具に雌ネジ固着具であるナットを装着した状態を示す説明図である。
【図１４】図１４は、実施例３において、雌ネジ固着具であるナットと締付用補助具との間に介装される他の部材を示した説明図である。
【発明を実施するための形態】
【００１８】
以下の実施例は、いずれも雄ネジ固着具をボルト、雌ネジ固着具をナットとした事例である。これらの実施例では単に“ボルト”又は“ナット”と表記するが、本発明の雄ネジ固着具、雌ネジ固着具は、実施例に係るボルト、ナットに特定されるものではない。
（実施例１）
図３は、本発明に係る締付用補助具の実施例１（基本形）を示す斜視図である。この締付用補助具１０は全体で円筒状をなし、軸方向に２分割した２つの分割体１１，１２から構成されている。一方の分割体１１は、分割面（他方の分割体１２と対向する面）の一方に矩形状の係合凸部１１ａを、また、分割面の他方に矩形状の係合凹部１１ｂを形成している。他方の分割体１２は、係合凸部１１ａに対向する分割面に係合凹部１２ａを形成し、また、係合凹部１１ｂに対向する分割面に係合凸部１２ｂを形成している。そして、係合凸部１１ａと係合凹部１２ａ、及び係合凹部１１ｂと係合凸部１２ｂとを嵌め合わせることにより、円筒状の一体化された締付用補助具１０が組立構成される。
また、各分割体１１，１２は、内周面に雌ネジ部分、外周面に雄ネジ部分を形成しており、これら分割体１１，１２で一体的に組み立てられた円筒状の締付用補助具１０は、円筒体全体として、その内周面に雌ネジ部１３を形成し、その外周面に雄ネジ部１４を形成した構成を具備する。
【００１９】
なお、分割体の係合凸部、係合凹部の形状、寸法等は、この実施例に限らず、例えば、一方の分割体に一又は複数の係合凸部を形成し、他方の分割体に、一方の分割体の一又は複数の係合凸部に対応する一又は複数の係合凹部を形成したものなどでもよい。また、上記実施例では、矩形状の凸部、凹部を形成しているが、湾曲状の凸面と凹面の組合せ、波型状の凹凸面の組合せ等も可能である。要は、分割体を組立てることにより、一体化された円筒状の締付用補助具が構成されうる係合凸部、係合凹部であればよい。
【００２０】
図４は、この締付用補助具１０をボルト３に装着する状態を示し、また、図５は、この締付用補助具１０をボルト３に装着し、更に、ナット４を装着した状態を示す。この締付用補助具１０は、ボルト３とナット４とで対向するフランジ部１ａ，２ａ間（又は１ｂ，２ｂ間）を締め付けるに必要な長さを有している。また、締付用補助具１０の内周面に形成された雌ネジ部１３は、ボルト３の雄ネジ部３ａ（円柱の外表面に沿って形成された雄ネジ固着具の螺旋状の溝に該当する）に螺着する形状、寸法を有し、締付用補助具１０の外周面に形成された雄ネジ部１４は、ナット４の雌ネジ部４ａ（円柱の内周面に沿って形成された雌ネジ固着具の螺旋状の溝に該当する）と螺着する形状、寸法を有している。
また、図５から理解できるように、取付金具２のフランジ部２ａ（又は２ｂ）に形成されたボルト挿通孔（図示せず）は、ボルト３とともに締付用補助具１０をも挿通しうる口径を有している（ただしナット４は挿通しない口径である）。
【００２１】
このように構成された締付用補助具１０は、図２に示す小径の柱状の部材Ｃ２の周面に一対の略半円弧状の取付金具１，２を締付固定するために有効に使用される（なお、この記載は、図１の大径の柱状の部材Ｃ１に適用しないという趣旨ではない）。
【００２２】
以下その作業手順を説明する。
図２に示す小径の柱状の部材Ｃ２の周面に一対の取付金具１，２を配置した後、取付金具１，２のフランジ部１ａ，２ａ間及び１ｂ，２ｂ間にボルト３，３を挿通する。なお、取付金具１，２のフランジ部１ａ，２ａ間の締付固定と、取付金具１，２のフランジ部１ｂ，２ｂ間の締付固定とは、同じ作業手順となるため、ここでは取付金具１，２のフランジ部１ａ，２ａ間の締付固定に関して説明し、取付金具１，２のフランジ部１ｂ，２ｂ間の締付固定に関する説明は省略する。
【００２３】
図５に示す様に、ボルト３の外周面の所定箇所には、分割体１１，１２を嵌合して一体化された円筒状の締付用補助具１０が予め装着されており、この締付用補助具１０がボルト３とともに取付金具２のフランジ部２ａを貫通して配置されている。
【００２４】
次いで、この状態でナット４を装着する。
ここで、ナット４は、締付用補助具１０に螺着する寸法、形状を有し、ボルト３に直接螺合する寸法、形状を有していない。ナット４の内径は、ボルト３の外径より締付用補助具１０の厚さ分だけ大きい。このため、ナット装着作業時に、図２に示すように、ボルト３の長さが、不必要に長い場合であっても、ナット４をボルト３の軸方向に沿って直線的にスムーズに締付用補助具１０の位置まで移動することができる。すなわち、締付用補助具１０の位置に到達するまで、ナット４をネジ回す必要がない。
【００２５】
そして、ナット４を締付用補助具１０に接する位置まで移動させてから、そこで初めて、ナット４を締付用補助具１０に対してネジ回すことにより、取付金具２のフランジ部２ａを締め付けて、図５の矢印方向（取付金具１のフランジ部１ａ方向）に移動させ、そのことにより、一対の取付金具１，２を柱状の部材Ｃ２の周面に締付固定することができる。
なお、上記は、本発明の本質的な説明であり、実際の作業時において、締付用補助具１０を用いて柱状の部材Ｃの周面に一対の取付金具１，２を締付固定するには、図６に示すように、ナット４とフランジ部２ａとの間にスプリングワッシャ５と平ワッシャ６を介装していることは勿論である。
【００２６】
以上、実施例１の発明を要約すれば、ナット４は、ナット本来の締付固定するという機能を発揮しつつ、締付用補助具１０の一体化された円筒状の形態を維持するという機能を備える。すなわち、ナット４が締付用補助具１０の円筒形状を維持しつつ、一体化されている状態の締付用補助具１０上を（ネジ締めながら）移動させる。このことにより、取付金具１，２は、フランジ部１ａ，２ａ間で柱状の部材Ｃ２に締付固定される。なお、フランジ部１ｂ，２ｂ間についても同様であるので、ここでの説明は省略する。
【００２７】
（実施例２）
図７は、本発明の実施例２の締付用補助具２０を示す。締付用補助具２０が図３乃至図６に示す締付用補助具１０と共通する構成については、共通する部材の符号のみを提示し、その具体的な説明は省略する。すなわち、各分割体２１，２２は係合凸部２１ａ，２２ｂ、係合凹部２１ｂ，２２ａを備え、締付用補助具２０は雌ネジ部２３、雄ネジ部２４を備え、雌ネジ部２３はボルト３の雄ネジ部に螺合し、雄ネジ部２４とは、ナット４との雌ネジ部に螺合する。
この締付用補助具２０が図３乃至図６に示す締付用補助具１０に追加された構成は、２つの分割体２１，２２の片面にそれぞれフランジ面２１ｃ，２２ｃを形成しており、２つの分割体２１，２２を組合せて、締付用補助具２０を構成した時に、これらフランジ面２１ｃ，２２ｃにて、円筒体の締付用補助具２０にフランジ２０ａを形成したことである（図９参照）。
【００２８】
このように構成された締付用補助具２０は、図８、図９に示す様に、取付金具２のフランジ部２ａからボルト３が突出している側の面（図９の紙面における下面）に、フランジ面２１ｃ，２２ｃが接するように、各分割体２１，２２をボルト３に嵌め合わせて、一体化された締付用補助具２０を形成する。このことにより、締付用補助具２０はフランジ２０ａが取付金具２のフランジ部２ａに接した状態（或いはフランジ部２ａ近傍）に装着される。
この状態で、締付用補助具２０を取り付けた側（ボルト３の下端側）から、ナット４をボルト３に挿通する。実施例１の説明でも述べたように、ナット４の内径は、ボルト３の外径に比べて締付用補助具２０の厚さ分だけ大きいので、ナット４を締付用補助具２０の位置まで、ボルト３の軸方向に沿って（ネジ回すことなく）直線的に移動することができる。そして、締付用補助具２０の端面に接してから初めてナット４を締付用補助具２０上でネジ締めをしていく。ここまでの締付作業手順は、実施例１と同様である。
【００２９】
この実施例２では、ナット４が締付用補助具２０のフランジ２０ａに接した後、さらにナット４をネジ締めすると、取付金具２のフランジ部２ａに締付用補助具２０のフランジ２０ａが接し、さらには押圧していることにより、ナット４を回すと、締付用補助具２０もナット４と共にボルト３上を旋回し、その結果、取付金具２のフランジ部２ａが取付金具１のフランジ部１ａ方向（図９の矢印上方）に移動する。すなわち、フランジ部１ａ，２ａ間で取付金具１，２の締付固定がなされる。
なお、ここでは、本発明の本質的な構成、作用を説明したが、実作業時には、ナット４と締付用補助具２０のフランジ２０ａとの間にはスプリングワッシャ２５が介装され、締付用補助具２０のフランジ２０ａとフランジ部２ａとの間には、スプリングワッシャ２６と平ワッシャ２７が介装されている（図１０参照）。
【００３０】
以上、実施例２の発明を要約すれば、ナット４は、ナット本来の締付固定という機能を備えつつ、締付用補助具１０の形態（一体化された状態）を維持するという機能を持っている点で実施例１の発明と共通している。実施例１との相違点は、実施例２の発明は、ナット４が締付用補助具２０上を移動する際に、締付用補助具２０に一体に形成されたフランジ２０ａが、締付用補助具２０をもナット４と一体的に、ボルト３上を移動させるという機能を持っていることである。すなわち、締付用補助具２０上を（螺合しながら）移動しているナット４が、締付用補助具のフランジ２０ａに接すると、ナット４を回すことにより、締付用補助具２０も一体的に回る（すなわち、ネジ回りしながらボルト３上を移動する）。このことにより、フランジ部２ａをフランジ部１ａ方向（図９の矢印上方）に移動させ、また、フランジ部２ｂをフランジ部１ｂ方向に移動させ、このことにより、取付金具１，２はフランジ部１ａ，２ａ間、及びフランジ部１ｂ，２ｂ間で柱状の部材Ｃ２に締付固定される。
なお、フランジ部１ｂ，２ｂ間についても同様であるので、ここでの説明は省略する。
【００３１】
（実施例３）
図１１は、本発明の実施例３を示す。実施例３の筒状の締付用補助具３０は、一対の分割体３１，３２で構成され、一方の分割体３１は、係合凸部３１ａと係合凹部３１ｂとを備え、他方の分割体３２は、係合凸部３１ａに係合する係合凹部３２ａ，係合凹部３１ｂに係合する係合凸部３２ｂを備えている。また、各分割体３１，３２は、その一端面にフランジ面３１ｃ，３２ｃを形成している。そして、分割体３１，３２を一体に組み合わせた状態で、筒状の締付用補助具３０は、内周面に雌ネシ部３３、外周面に雄ネジ部３４を形成し、フランジ面３１ｃ，３２ｃを突き合せた状態でフランジ３０ａを形成している（図１３参照）。この構成は実施例２と同様である。
実施例３に係る締付用補助具３０が実施例２の締付用補助具に対して追加した構成は、フランジ３０ａを設けた面とは反対側の面に更にナット３０ｂをそれぞれ取り付けている。すなわち、実施例３では、分割体３１，３２の他面（フランジ面を形成した面と反対側の面）にナット部３１ｄ，３２ｄを一体に形成している。そして、分割体３１，３２を一体的に組立て、筒状の締付用補助具３０としたときに、ナット部３１ｄ，３２ｄにより締付用補助具３０に六角柱のナット３０ｂが形成されることなる。
【００３２】
この実施例３では、図１３に示すように、実施例２と同様の手順でボルト３に締付用補助具３０が装着され、且つ、ナット４が取り付けられる。
但し、実施例２とは、異なる手順で取付金具１，２のフランジ部１ａ，２ａが締付固定される。
すなわち、実施例３において、ナット４は単に組み立てられた締付用補助具３０の一体化を維持するために装着され、実施例２のように、このナット４を回してフランジ部１ａ，２ａを柱状の部材Ｃ２に締付固定する必要はない。また、実施例３では、締付用補助具３０に一体に取り付けたナット３０ｂを回すことにより、ナット４がフランジ部２ａに接していなくとも、締付用補助具３０がボルト３上を移動し、この移動に伴って、フランジ部２ａがフランジ部１ａ方向（図１３の矢印上方）に移動し、フランジ部１ａ，２ａが柱状の部材Ｃ２に締付固定される。この実施例３によれば、ナット４は締付固定時における締付用補助具３０の一体状態を保持するのに寄与し、締付用補助具３０はフランジ部１ａ，２ａの締付固定に寄与し、両者で機能を分担している。このため、フランジ部１ａ，２ａの締付固定を、より安定して行うことができる。
なお、ここでは、本発明の本質的な構成、作用を説明したが、実作業時には、ナット４と締付用補助具３０のフランジ３０ａとの間にはスプリングワッシャ３５が介装され、締付用補助具３０のフランジ３０ａとフランジ部２ａとの間には、スプリングワッシャ３６と平ワッシャ３７が介装されている（図１４参照）。
【００３３】
以上、実施例３の発明を要約すれば、本来のナット４は、締付用補助具３０の形態（一体化された状態）を維持するという機能を備えている点で実施例１，２と共通している。しかし、実施例３では、このナット４とは別に締付用補助具３０にナット３０ｂを一体に形成し、このナット３０ｂが締付用補助具３０自体をボルト３に対して、移動させるという本来のナットとしての機能を備えている。実施例３では、締付用補助具３０自体が実施例１，２におけるナット４の機能を兼ね備えているという点で、実施例１，２と相違する。言い換えると、実施例３の発明は、締付用補助具３０の一体化されている状態を保持するナット４と、締付用補助具に形成したナット本来の機能を有するナット３０ｂとで機能分担することで、より安定して締付作業を行うことができるものである。
なお、フランジ部１ｂ，２ｂ間についても同様であるので、ここでの説明は省略する。
【産業上の利用可能性】
【００３４】
本発明の締付用補助具を用いれば、柱状の部材の周面に一対の取付金具１，２をボルト３とナット４とで締付固定する際に、長さの長いボルト３であっても、その取付作業を短時間で行うことが出来、作業性を向上できる。また、柱状の部材Ｃ（Ｃ１又はＣ２）の周面に一対の取付金具１，２を取り付けるボルト３として、各種の長さのものを用意する必要はなく、その種類を簡素化することが出来る。その結果、管理、保管が容易となる。
また、上記実施例ではボルト３とナット４とで締付固定する場合について説明したが、その他の雄ネジ固着具、雌ネジ固着具とで締付け固定する場合、例えば、ボルトの頭の部分がない長ネジを使い、両側にナットを取り付ける場合であって、その長ネジが不必要に長さが長くても、ボルト３とナット４とで締付固定する場合と同様に、柱状の部材への取付作業を短時間で効率よく行うことができ、作業性を向上することができることは勿論である。
【符号の説明】
【００３５】
Ａ・・・超音波送受器
Ｂ・・・超音波送受器の装着装置
Ｃ１，Ｃ２・・・柱状の部材（被締付物）
１，２・・・略半円弧状の取付金具
１ａ，１ｂ，２ａ，２ｂ，３ａ，３ｂ・・・取付金具のフランジ部
３・・・ボルト（雄ネジ固着具）
３ａ・・・ボルトの雄ネジ部（雄ネジ固着具の螺旋状の溝）
４・・・ナット（雌ネジ固着具）
４ａ・・・ナットの雌ネジ部（雌ネジ固着具の螺旋状の溝）
５，２５，２６，３５，３６・・・スプリングワッシャ
６，２７，３７・・・平ワッシャ
１０，２０，３０・・・締付用補助具
１１，２１，３１・・・一方の分割体
１１ａ，２１ａ，３１ａ・・・一方の分割体の係合凸部
１１ｂ，２１ｂ，３１ｂ・・・一方の分割体の係合凹部
１２，２２，３２・・・他方の分割体
１２ａ，２２ａ，３２ａ・・・他方の分割体の係合凹部
１２ｂ，２２ｂ，３２ｂ・・・他方の分割体の係合凸部
２１ｃ，２２ｃ，３１ｃ，３２ｃ・・・分割体のフランジ面
３１ｄ，３２ｄ・・・分割体のナット部形成部
１３，２３，３３・・・締付用補助具の雌ネジ部
１４，２４，３４・・・締付用補助具の雄ネジ部
２０ａ，３０ａ・・・締付用補助具のフランジ
３０ｂ・・・締付用補助具のナット
【図１】
2019049319.tif 000003
【図２】
2019049319.tif 000004
【図３】
2019049319.tif 000005
【図４】
2019049319.tif 000006
【図５】
2019049319.tif 000007
【図６】
2019049319.tif 000008
【図７】
2019049319.tif 000009
【図８】
2019049319.tif 000010
【図９】
2019049319.tif 000011
【図１０】
2019049319.tif 000012
【図１１】
2019049319.tif 000013
【図１２】
2019049319.tif 000014
【図１３】
2019049319.tif 000015
【図１４】
2019049319.tif 000016